(57)【要約】  通行管理システム（１）は、受信器（４）及び管理装置（３）を備える。受信器（４）は、識別タグ（５）から識別情報を受信する。第３判定部（１３）は、受信器（４）が受信した識別情報について、受信器（４）に対応するドア（２）が通行が許可されたドアとして記憶部（９）に記憶されているか否かを判定する。第４判定部（１４）は、受信器（４）が受信した識別情報について、受信器（４）に対応するドア（２）が自動認証の対象となるドアとして記憶部（９）に記憶されているか否かを判定する。動作部（１６）は、記憶部（９）に記憶されていないと第４判定部（１４）によって判定されると、不許可動作を行わない。
2018037644.tif 000002
【特許請求の範囲】
【請求項１】
識別タグから識別情報を受信する受信器と、
通行が許可されたドアの情報及び動作不実施の対象となるドアの情報が識別情報に紐付けて記憶された記憶手段と、
前記受信器によって受信された識別情報が前記記憶手段に記憶されている識別情報の何れかと一致するか否かを判定する第１判定手段と、
識別情報が一致しないと前記第１判定手段によって判定されると、予め定められた不許可動作を行う動作手段と、
識別情報が一致すると前記第１判定手段によって判定されると、当該識別情報について、前記受信器に対応するドアが通行が許可されたドアとして前記記憶手段に記憶されているか否かを判定する第２判定手段と、
前記記憶手段に記憶されていると前記第２判定手段によって判定されると、前記受信器に対応するドアを解錠させる解錠手段と、
識別情報が一致すると前記第１判定手段によって判定されると、当該識別情報について、前記受信器に対応するドアが動作不実施の対象となるドアとして前記記憶手段に記憶されているか否かを判定する第３判定手段と、
を備え、
前記動作手段は、前記記憶手段に記憶されていると前記第３判定手段によって判定されると、前記不許可動作を行わない通行管理システム。
【請求項２】
前記動作手段は、前記記憶手段に記憶されていないと前記第２判定手段及び前記第３判定手段の双方によって判定されると、前記不許可動作を行う請求項１に記載の通行管理システム。
【請求項３】
識別タグから識別情報を受信する受信器と、
通行が許可されたドアの情報及び自動認証の対象となるドアの情報が識別情報に紐付けて記憶された記憶手段と、
前記受信器によって受信された識別情報が前記記憶手段に記憶されている識別情報の何れかと一致するか否かを判定する第１判定手段と、
識別情報が一致しないと前記第１判定手段によって判定されると、予め定められた不許可動作を行う動作手段と、
識別情報が一致すると前記第１判定手段によって判定されると、予め定められた操作を行うことによって識別タグから送信可能な照合要求情報を前記受信器が識別情報と共に受信したか否かを判定する第２判定手段と、
照合要求情報を前記受信器が受信したと前記第２判定手段によって判定されると、前記受信器が受信した識別情報について、前記受信器に対応するドアが通行が許可されたドアとして前記記憶手段に記憶されているか否かを判定する第３判定手段と、
前記記憶手段に記憶されていると前記第３判定手段によって判定されると、前記受信器に対応するドアを解錠させる解錠手段と、
照合要求情報を前記受信器が受信していないと前記第２判定手段によって判定されると、前記受信器が受信した識別情報について、前記受信器に対応するドアが自動認証の対象となるドアとして前記記憶手段に記憶されているか否かを判定する第４判定手段と、
を備え、
前記第３判定手段は、前記記憶手段に記憶されていると前記第４判定手段によって判定されると、前記受信器が受信した識別情報について、前記受信器に対応するドアが通行が許可されたドアとして前記記憶手段に記憶されているか否かを判定し、
前記動作手段は、前記記憶手段に記憶されていないと前記第４判定手段によって判定されると、前記不許可動作を行わない通行管理システム。
【請求項４】
前記動作手段は、前記記憶手段に記憶されていないと前記第３判定手段によって判定されると、前記不許可動作を行う請求項３に記載の通行管理システム。
【請求項５】
前記動作手段は、前記不許可動作として、報知器から不許可である旨を報知させる請求項１から請求項４の何れか一項に記載の通行管理システム。
【請求項６】
前記動作手段は、前記不許可動作として、前記記憶手段に不許可である旨を記憶させる請求項１から請求項５の何れか一項に記載の通行管理システム。
【発明の詳細な説明】
【技術分野】
【０００１】
この発明は、通行管理システムに関する。
【背景技術】
【０００２】
特許文献１に、入室及び退室を管理するシステムが記載されている。特許文献１に記載されたシステムでは、通行を許可された人がドアに近づくと、ドアが解錠される。また、特許文献１に記載されたシステムでは、ドアの利用頻度に応じた設定によって、ドアが解錠されるタイミングを変えている。
【先行技術文献】
【特許文献】
【０００３】
【特許文献１】日本特開２０１４−２１４５７２号公報
【発明の概要】
【発明が解決しようとする課題】
【０００４】
特許文献１に記載されたシステムでは、あるドアの通行を許可されていない人がそのドアに近づいてもドアは解錠されない。かかる場合、警告表示が行われたり警告音が発せられたりする。例えば、あるドアの通行を許可されていない人が、そのドアの前を通過しただけでも警告音は発せられる。このため、ドアの前を通過した人が不快に感じることがあった。【０００５】
同様のシステムでは、あるドアの通行を許可されていない人がそのドアに近づくと、照合が失敗した旨の情報が記憶される。例えば、あるドアの通行を許可されていない人が、そのドアの前を通過しただけでも上記情報は蓄積される。このため、システムに掛かる負荷が大きくなる。【０００６】
この発明は、上述のような課題を解決するためになされた。この発明の目的は、ドアを通行しようとしていない人がドアに近づくことによって発生する不要な動作を低減できる通行管理システムを提供することである。
【課題を解決するための手段】
【０００７】
この発明に係る通行管理システムは、識別タグから識別情報を受信する受信器と、通行が許可されたドアの情報及び動作不実施の対象となるドアの情報が識別情報に紐付けて記憶された記憶手段と、受信器によって受信された識別情報が記憶手段に記憶されている識別情報の何れかと一致するか否かを判定する第１判定手段と、識別情報が一致しないと第１判定手段によって判定されると、予め定められた不許可動作を行う動作手段と、識別情報が一致すると第１判定手段によって判定されると、当該識別情報について、受信器に対応するドアが通行が許可されたドアとして記憶手段に記憶されているか否かを判定する第２判定手段と、記憶手段に記憶されていると第２判定手段によって判定されると、受信器に対応するドアを解錠させる解錠手段と、識別情報が一致すると第１判定手段によって判定されると、当該識別情報について、受信器に対応するドアが動作不実施の対象となるドアとして記憶手段に記憶されているか否かを判定する第３判定手段と、を備える。動作手段は、記憶手段に記憶されていると第３判定手段によって判定されると、不許可動作を行わない。【０００８】
この発明に係る通行管理システムは、識別タグから識別情報を受信する受信器と、通行が許可されたドアの情報及び自動認証の対象となるドアの情報が識別情報に紐付けて記憶された記憶手段と、受信器によって受信された識別情報が記憶手段に記憶されている識別情報の何れかと一致するか否かを判定する第１判定手段と、識別情報が一致しないと第１判定手段によって判定されると、予め定められた不許可動作を行う動作手段と、識別情報が一致すると第１判定手段によって判定されると、予め定められた操作を行うことによって識別タグから送信可能な照合要求情報を受信器が識別情報と共に受信したか否かを判定する第２判定手段と、照合要求情報を受信器が受信したと第２判定手段によって判定されると、受信器が受信した識別情報について、受信器に対応するドアが通行が許可されたドアとして記憶手段に記憶されているか否かを判定する第３判定手段と、記憶手段に記憶されていると第３判定手段によって判定されると、受信器に対応するドアを解錠させる解錠手段と、照合要求情報を受信器が受信していないと第２判定手段によって判定されると、受信器が受信した識別情報について、受信器に対応するドアが自動認証の対象となるドアとして記憶手段に記憶されているか否かを判定する第４判定手段と、を備える。第３判定手段は、記憶手段に記憶されていると第４判定手段によって判定されると、受信器が受信した識別情報について、受信器に対応するドアが通行が許可されたドアとして記憶手段に記憶されているか否かを判定する。動作手段は、記憶手段に記憶されていないと第４判定手段によって判定されると、不許可動作を行わない。
【発明の効果】
【０００９】
この発明に係る通行管理システムであれば、ドアを通行しようとしていない人がドアに近づくことによって発生する不要な動作を低減できる。
【図面の簡単な説明】
【００１０】
【図１】この発明の実施の形態１における通行管理システムの例を示す図である。
【図２】通行管理システムが適用された建物の例を示す図である。
【図３】この発明の実施の形態１における通行管理システムの動作例を示すフローチャートである。
【図４】この発明の実施の形態２における通行管理システムの例を示す図である。
【図５】通行管理システムが適用された建物の例を示す図である。
【図６】この発明の実施の形態２における通行管理システムの動作例を示すフローチャートである。
【図７】この発明の実施の形態２における通行管理システムの他の動作例を示す図である。
【図８】管理装置のハードウェア構成を示す図である。
【発明を実施するための形態】
【００１１】
添付の図面を参照し、本発明を説明する。重複する説明は、適宜簡略化或いは省略する。各図において、同一の符号は同一の部分又は相当する部分を示す。
【００１２】
実施の形態１．
図１は、この発明の実施の形態１における通行管理システム１の例を示す図である。図２は、通行管理システム１が適用された建物の例を示す図である。通行管理システム１は、例えばドア２、管理装置３、受信器４、識別タグ５及び報知器６を備える。
【００１３】
通行管理システム１が備えられた建物には、人の通行を管理する必要がある場所にドア２が設けられる。ドア２は電子錠７を備える。電子錠７は、例えば通信線によって管理装置３に接続される。管理装置３は、一定の条件が成立するとドア２を解錠させる。上記条件が成立していなければ、ドア２は施錠される。建物には、多数のドア２が設けられる。
【００１４】
図２は、通行管理システム１が建物α及び建物βを含む建物群に備えられた例を示す。建物αには、部屋Ａ、部屋Ｂ及び部屋Ｃがある。部屋Ａに入るためにはドア２Ａを通らなければならない。部屋Ｂに入るためにはドア２Ｂを通らなければならない。部屋Ｃに入るためにはドア２Ｃを通らなければならない。ドア２Ａの通行を許可された人は予め設定される。ドア２Ｂの通行を許可された人は予め設定される。ドア２Ｃの通行を許可された人は予め設定される。建物βには、部屋Ｄ及び部屋Ｅがある。部屋Ｄに入るためにはドア２Ｄを通らなければならない。部屋Ｅに入るためにはドア２Ｅを通らなければならない。ドア２Ｄの通行を許可された人は予め設定される。ドア２Ｅの通行を許可された人は予め設定される。
【００１５】
受信器４は、識別タグ５から電波を受信する。受信器４が識別タグ５から電波を受信できる範囲は予め設定される。以下の説明では、この範囲のことを単に「受信範囲」とも表記する。図２に示す例では、１つのドア２に対応して１つの受信器４が設けられる。例えば、ドア２Ａに隣接して受信器４Ａが設けられる。識別タグ５がドア２Ａに近づくと、受信器４Ａは識別タグ５から電波を受ける。同様に、ドア２Ｂに隣接して受信器４Ｂが設けられる。ドア２Ｃに隣接して受信器４Ｃが設けられる。ドア２Ｄに隣接して受信器４Ｄが設けられる。ドア２Ｅに隣接して受信器４Ｅが設けられる。受信器４は、例えば通信線によって管理装置３に接続される。
【００１６】
識別タグ５は、例えば、ドア２の通行を許可された人に所持される。識別タグ５に、識別情報が記憶される。識別情報は、識別タグ５を特定するための情報である。即ち、各識別タグ５には固有の識別情報が割り当てられる。受信器４は、受信範囲に存在する識別タグ５から、識別情報を含む電波を受信する。
【００１７】
識別タグ５は釦８を備える。釦８は、識別タグ５を所持する人が識別情報の照合を要求するために押す釦である。受信器４の受信範囲に識別タグ５が存在する場合にその識別タグ５の釦８が押されると、受信器４は、識別情報と照合要求情報とを含む電波を識別タグ５から受信する。本実施の形態では、釦８が押されることによって識別タグ５から照合要求情報が送信される例を示す。照合要求情報は、予め定められた他の操作が行われることによって識別タグ５から送信されても良い。釦８を押す操作は、照合要求情報を送信するために行う操作の一例である。
【００１８】
報知器６は、情報を報知する。報知器６は、例えば液晶ディスプレイである。報知器６は、ＬＥＤランプでも良い。報知器６は、スピーカでも良い。報知器６は、例えば通信線によって管理装置３に接続される。図２に示す例では、１つのドア２に対応して１つの報知器６が設けられる。例えば、ドア２Ａに隣接して報知器６Ａが設けられる。ドア２Ａに近づいた人に対して報知器６Ａから情報が報知される。同様に、ドア２Ｂに隣接して報知器６Ｂが設けられる。ドア２Ｃに隣接して報知器６Ｃが設けられる。ドア２Ｄに隣接して報知器６Ｄが設けられる。ドア２Ｅに隣接して報知器６Ｅが設けられる。報知器６は受信器４に備えられても良い。
【００１９】
管理装置３は、例えば記憶部９、第１判定部１１、第２判定部１２、第３判定部１３、第４判定部１４、解錠部１５及び動作部１６を備える。
【００２０】
記憶部９に、ドア２の通行を許可された人の情報が記憶される。例えば、記憶部９に、識別タグ５に割り当てられた識別情報が記憶される。また、記憶部９に、各識別情報に紐付けて、通行が許可されたドアの情報が記憶される。記憶部９に、各識別情報に紐付けて、自動認証の対象となるドアの情報が記憶される。下記表１は、記憶部９に記憶された情報の例を示す。
【００２１】
【表１】
2018037644.tif 000003
【００２２】
表１に示す例では、識別情報１００１が記憶された識別タグ５を所持する人は、ドア２Ａの通行が許可されている。また、この人に関しては、ドア２Ａが自動認証の対象である。以下の説明では、記載を簡潔にするため、識別情報Ｘが記憶された識別タグ５を所持する人のことを「識別情報Ｘの所持者」とも表記する。
【００２３】
第１判定部１１は、受信器４によって受信された識別情報が記憶部９に記憶されている識別情報の何れかと一致するか否かを判定する。第１判定部１１は、例えば、受信器４が受信した情報と記憶部９に記憶されている情報とに基づいて上記判定を行う。
【００２４】
第２判定部１２は、識別情報を受信した受信器４がその識別情報と共に照合要求情報を受信したか否かを判定する。第２判定部１２は、例えば、受信器４が受信した情報に基づいて上記判定を行う。
【００２５】
第３判定部１３は、受信器４が受信した識別情報について、その受信器４に対応するドア２が通行が許可されたドアとして記憶部９に記憶されているか否かを判定する。本実施の形態に示す例では、１つの受信器４に対応するドアは１つである。即ち、受信器４Ａに対応するドアはドア２Ａである。受信器４Ｂに対応するドアはドア２Ｂである。受信器４Ｃに対応するドアはドア２Ｃである。受信器４Ｄに対応するドアはドア２Ｄである。受信器４Ｅに対応するドアはドア２Ｅである。通行管理システム１が備えられる建物によっては、１つのドア２に複数の受信器４が対応しても良い。１つの受信器４に複数のドア２が対応しても良い。第３判定部１３は、例えば、受信器４が受信した情報と記憶部９に記憶されている情報とに基づいて上記判定を行う。
【００２６】
第４判定部１４は、受信器４が受信した識別情報について、その受信器４に対応するドア２が自動認証の対象となるドアとして記憶部９に記憶されているか否かを判定する。第４判定部１４は、例えば、受信器４が受信した情報と記憶部９に記憶されている情報とに基づいて上記判定を行う。
【００２７】
解錠部１５は、ドア２を解錠させる。即ち、解錠部１５は、電子錠７を制御する。例えば、解錠部１５は、ドア２Ａに備えられた電子錠７Ａ（図示せず）に解錠信号を送信し、ドア２Ａを解錠させる。同様に、解錠部１５は、ドア２Ｂに備えられた電子錠７Ｂ（図示せず）に解錠信号を送信し、ドア２Ｂを解錠させる。解錠部１５は、ドア２Ｃに備えられた電子錠７Ｃ（図示せず）に解錠信号を送信し、ドア２Ｃを解錠させる。解錠部１５は、ドア２Ｄに備えられた電子錠７Ｄ（図示せず）に解錠信号を送信し、ドア２Ｄを解錠させる。解錠部１５は、ドア２Ｅに備えられた電子錠７Ｅ（図示せず）に解錠信号を送信し、ドア２Ｅを解錠させる。解錠部１５は、例えば、第３判定部１３が判定した結果に基づいて解錠信号を出力する。
【００２８】
動作部１６は許可動作を行う。許可動作は、識別タグ５を所持する人或いはシステム自体に対し、通行が許可されたことを通知するための動作である。許可動作は予め定められる。動作部１６は不許可動作を行う。不許可動作は、識別タグ５を所持する人或いはシステム自体に対し、通行が許可されなかったことを通知するための動作である。不許可動作は予め定められる。
【００２９】
次に、図３も参照し、通行管理システム１の動作について詳しく説明する。図３は、この発明の実施の形態１における通行管理システム１の動作例を示すフローチャートである。
【００３０】
受信器４の受信範囲に識別タグ５が入ると、受信器４は、その識別タグ５から識別情報を含む電波を受信する。また、受信器４の受信範囲に存在する識別タグ５の釦８が押されると、受信器４は、その識別タグ５から識別情報及び照合要求情報を含む電波を受信する（Ｓ１０１）。
【００３１】
受信器４は、受信した電波から識別情報を抽出する。受信器４は、受信した電波に照合要求情報が含まれていれば、識別情報及び照合要求情報の双方を抽出する（Ｓ１０２）。受信器４は、抽出した情報を自機を示す情報と共に管理装置３に送信する。
【００３２】
管理装置３では、受信器４によって受信された識別情報が記憶部９に記憶されている識別情報の何れかと一致するか否かが第１判定部１１によって判定される（Ｓ１０３）。表１に示す情報が記憶部９に予め登録されている例を考える。例えば、受信器４Ａによって識別情報１００１を含む電波が受信されると、第１判定部１１はＳ１０３で一致する旨を判定する。なお、識別情報１００１は記憶部９に記憶された識別情報である。このため、どの受信器４によって識別情報１００１が受信されても、第１判定部１１はＳ１０３で一致する旨を判定する。例えば、受信器４Ｅによって識別情報１００１が受信されると、第１判定部１１はＳ１０３で一致する旨を判定する。
【００３３】
一方、識別情報２００１は記憶部９に記憶されていない。受信器４Ａによって識別情報２００１を含む電波が受信されると、第１判定部１１はＳ１０３で一致しない旨を判定する。第１判定部１１は、どの受信器４によって識別情報２００１が受信されてもＳ１０３で一致しない旨を判定する。
【００３４】
識別情報が一致しないと第１判定部１１によって判定されると、動作部１６は、不許可動作を行う（Ｓ１０４）。動作部１６は、不許可動作として、通行が許可されなかったことを報知器６から報知させても良い。例えば、受信器４Ａによって識別情報２００１が受信された場合、動作部１６は、ドア２Ａに隣接する報知器６Ａから通行が許可されていないことを報知させる。報知器６Ａが液晶ディスプレイであれば、ＮＧを表示させても良い。報知器６Ａがスピーカであれば、部屋Ａに入ることができない旨をアナウンスしても良い。動作部１６は、不許可動作として、通行が許可されなかったことを記憶部９に記憶させても良い。例えば、受信器４Ａによって識別情報２００１が受信された場合、動作部１６は、未登録の識別情報２００１が受信器４Ａに受信されたことを記憶部９に記憶させる。
【００３５】
識別情報が一致すると第１判定部１１によって判定されると、識別情報を受信した受信器４がその識別情報と共に照合要求情報を受信したか否かが第２判定部１２によって判定される（Ｓ１０５）。例えば、識別情報１００１の所持者が受信器４Ａの受信範囲で釦８を押すと、受信器４Ａは識別情報１００１及び照合要求情報を受信する。かかる場合、第２判定部１２は、受信器４Ａが照合要求情報を受信したとＳ１０５で判定する。
【００３６】
釦８は、通行の許可を求める人が押す釦である。第３判定部１３は、照合要求情報を受信器４が受信したと第２判定部１２によって判定されると、対応の識別情報について、通行が許可されているか否かを判定する（Ｓ１０６）。例えば、受信器４Ａが識別情報１００１及び照合要求情報を受信した場合、第３判定部１３は、識別情報１００１について、受信器４Ａに対応するドア２Ａが通行が許可されたドアとして記憶部９に記憶されているか否かを判定する。表１に示す例では、識別情報１００１について、通行が許可されたドアとしてドア２Ａが記憶されている。解錠部１５は、記憶部９に記憶されているとＳ１０６で第３判定部１３によって判定されると、対応のドア２を解錠させる（Ｓ１０７）。例えば、通行が許可されたドアとしてドア２Ａが記憶部９に記憶されていると第３判定部１３によって判定されると、解錠部１５は、電子錠７Ａに解錠信号を出力する。これにより、ドア２Ａが解錠される。
【００３７】
動作部１６は、記憶部９に記憶されているとＳ１０６で第３判定部１３によって判定されると、許可動作を行う（Ｓ１０８）。動作部１６は、許可動作として、通行が許可されたことを報知器６から報知させても良い。上記例であれば、動作部１６は、ドア２Ａに隣接する報知器６Ａから通行が許可されたことを報知させる。報知器６Ａが液晶ディスプレイであれば、ＯＫを表示させても良い。報知器６Ａがスピーカであれば、部屋Ａに入ることができる旨をアナウンスしても良い。動作部１６は、許可動作として、通行が許可されたことを記憶部９に記憶させても良い。上記例であれば、動作部１６は、識別情報１００１の所持者が部屋Ａへの入室を許可された旨を記憶部９に記憶させる。
【００３８】
一方、記憶部９に記憶されていないとＳ１０６で第３判定部１３によって判定されると、動作部１６は不許可動作を行う（Ｓ１０４）。
【００３９】
上述したように、受信器４は、受信範囲に存在する識別タグ５から識別情報を受信する。釦８が押されなければ、受信器４は、照合要求情報を含まず且つ識別情報を含む電波を識別タグ５から受信する。照合要求情報を受信器４が受信していないとＳ１０５で第２判定部１２によって判定されると、第４判定部１４は、自動認証の設定がなされているか否かを判定する（Ｓ１０９）。例えば、受信器４Ａが照合要求情報を受信せずに識別情報１００１を受信した場合、第４判定部１４は、識別情報１００１について、受信器４Ａに対応するドア２Ａが自動認証の対象となるドアとして記憶部９に記憶されているか否かを判定する。表１に示す例では、識別情報１００１について、自動認証の対象となるドアとしてドア２Ａが記憶されている。第３判定部１３は、記憶部９に記憶されているとＳ１０９で第４判定部１４によって判定されると、対応の識別情報について、通行が許可されているか否かを判定する（Ｓ１０６）。
【００４０】
一方、記憶部９に記憶されていないとＳ１０９で第４判定部１４によって判定された場合は、Ｓ１０１の処理に戻る。Ｓ１０９で記憶部９に記憶されていないと第４判定部１４によって判定されると、動作部１６は不許可動作を行わない（Ｓ１０９のＮｏ）。
【００４１】
本実施の形態に示す例では、記憶部９に記憶されていないとＳ１０９で第４判定部１４によって判定されると、不許可動作が行われない。このため、ドア２を通行しようとしていない人がドア２に近づくことによって発生する不要な動作を低減できる。
【００４２】
例えば、識別情報１００２の所持者について考える。識別情報１００２の所持者は、部屋Ａの所属である。このため、部屋Ａに入るためのドア２Ａが通行が許可されたドアとして記憶部９に予め登録される。また、識別情報１００２の所持者は部屋Ａに頻繁に出入りするため、ドア２Ａが自動認証の対象となるドアとして記憶部９に予め登録される。識別情報１００２の所持者は部屋Ａに入るために釦８を押す必要はない。
【００４３】
例えば、識別情報１００２の所持者がドア２Ａに近づくと、受信器４Ａによって識別情報１００２が受信される（Ｓ１０１）。識別情報１００２は記憶部９に記憶されている（Ｓ１０３のＹｅｓ）。また、識別情報１００２の所持者がドア２Ａに近づいただけでは、受信器４Ａは照合要求情報を受信しない（Ｓ１０５のＮｏ）。Ｓ１０９では、ドア２Ａに対して自動認証の設定がなされていると判定される。この場合、Ｓ１０６で通行が許可されているか否かが判定され、Ｓ１０７でドア２Ａが解錠される。即ち、識別情報１００２の所持者がドア２Ａに近づくと、ドア２Ａが解錠される。
【００４４】
また、識別情報１００２の所持者は部屋Ｃに入ることが許可されているが、部屋Ｃには殆ど入らない。このため、識別情報１００２に対し、ドア２Ｃは自動認証の対象となるドアとして記憶部９に記憶されていない。識別情報１００２の所持者が部屋Ｃに入るためには、ドア２Ｃの前で釦８を押せば良い。これにより、受信器４Ｃによって識別情報１００２と照合要求情報とが受信される（Ｓ１０１）。受信器４Ｃによって照合要求情報が受信されると（Ｓ１０５のＹｅｓ）、Ｓ１０６で通行が許可されているか否かが判定される。即ち、識別情報１００２の所持者がドア２Ｃの前で釦８を押せば、ドア２Ｃが解錠される。
【００４５】
識別情報１００２の所持者は、部屋Ａに入る際に部屋Ｃの前を通る。この時、受信器４Ｃによって識別情報１００２が受信される（Ｓ１０１）。識別情報１００２の所持者は、部屋Ｃの前を通る時に釦８を押さない。このため、Ｓ１０５では、照合要求情報を受信していないと判定される。Ｓ１０９では、記憶部９に記憶されていないと判定される（Ｓ１０９のＮｏ）。このため、識別情報１００２の所持者がドア２Ｃの前を通っても不許可動作は行われない。
【００４６】
他の例について考える。識別情報１００３の所持者は、部屋Ｄの所属である。このため、識別情報１００３に対し、ドア２Ｄは通行が許可されたドア及び自動認証の対象となるドアとして記憶部９に記憶されている。識別情報１００３の所持者がドア２Ｄに近づけば、ドア２Ｄは解錠される。識別情報１００３の所持者は、部屋Ｄに入る際に部屋Ｅの前を通る。このため、識別情報１００３に対し、ドア２Ｅは通行が許可されたドアとして記憶部９に記憶されているが、自動認証の対象となるドアとして記憶部９に記憶されていない。識別情報１００３の所持者は、ドア２Ｅの前で釦８を押せば、部屋Ｅに入ることができる。識別情報１００３の所持者がドア２Ｅの前を通っただけでは、不許可動作は行われない。
【００４７】
一方、識別情報１００３の所持者が建物αに入ることは想定されていない。このため、識別情報１００３に対し、ドア２Ａ、ドア２Ｂ及びドア２Ｃは通行が許可されたドアとして記憶部９に記憶されていない。識別情報１００３に対し、ドア２Ａ、ドア２Ｂ及びドア２Ｃは自動認証の対象となるドアとして記憶部９に記憶されている。
【００４８】
例えば、識別情報１００３の所持者がドア２Ｂに近づくと、受信器４Ｂによって識別情報１００３が受信される（Ｓ１０１）。識別情報１００３は記憶部９に記憶されている（Ｓ１０３のＹｅｓ）。また、識別情報１００３の所持者がドア２Ｂに近づいただけでは、受信器４Ｂは照合要求情報を受信しない（Ｓ１０５のＮｏ）。Ｓ１０９では、ドア２Ｂに対して自動認証の設定がなされていると判定される。この場合、Ｓ１０６で通行が許可されていないと判定され、Ｓ１０４で不許可動作が行われる。
【００４９】
一方、識別情報１００３の所持者がドア２Ｂの前で釦８を押すと、Ｓ１０５で照合要求情報を受信していると判定される。この場合も、Ｓ１０６で通行が許可されていないと判定され、Ｓ１０４で不許可動作が行われる。即ち、建物αに設置された受信器４で識別情報１００３が受信されると、常に不許可動作が行われる。
【００５０】
識別情報１００４の所持者は、部屋Ｄの所属である。識別情報１００４の所持者が建物αに入ることは想定されていない。このため、建物αに設置された受信器４で識別情報１００４が受信されると、常に不許可動作が行われる。
【００５１】
この所持者は、識別情報１００４が記憶された識別タグ５を他の目的のために所持する。例えば、この所持者は、建物βに設置された照明システムを制御するために識別タグ５を所持する。識別情報１００４の所持者は、識別タグ５以外の手段でドア２Ｄ及びドア２Ｅを解錠できる。このため、識別情報１００４に対し、ドア２Ｄ及びドア２Ｅは通行が許可されたドア及び自動認証の対象となるドアとして記憶部９に記憶されていない。建物βに設置された受信器４で識別情報１００４が受信されても、釦８が押されていなければ不許可動作は行われない。
【００５２】
識別情報１００５の所持者は、全ての部屋に入ることができる。また、識別情報１００５に対し、自動認証の対象となるドアは設定されていない。このため、識別情報１００５の所持者は部屋に入る際に必ず釦８を押さなければならない。しかし、受信器４で識別情報１００５が受信されても、不許可動作は行われない。本実施の形態に示す例では、このような設定も可能である。
【００５３】
実施の形態２．
本実施の形態では、実施の形態１で開示した例と相違する内容について詳しく説明する。実施の形態１で開示した例と同じ内容については、その説明を適宜省略する。
【００５４】
図４は、この発明の実施の形態２における通行管理システム１の例を示す図である。図５は、通行管理システム１が適用された建物の例を示す図である。通行管理システム１は、例えばドア２、管理装置３、受信器４、識別タグ５及び報知器６を備える。
【００５５】
通行管理システム１が備えられた建物には、人の通行を管理する必要がある場所にドア２が設けられる。ドア２は電子錠７を備える。電子錠７は、例えば通信線によって管理装置３に接続される。管理装置３は、一定の条件が成立するとドア２を解錠させる。上記条件が成立していなければ、ドア２は施錠される。建物には、多数のドア２が設けられる。
【００５６】
図５は、通行管理システム１がある建物に備えられた例を示す。この建物には、部屋Ｆ、部屋Ｇ及び部屋Ｈがある。部屋Ｆに入るためにはドア２Ｆを通らなければならない。部屋Ｇに入るためにはドア２Ｇを通らなければならない。部屋Ｈに入るためにはドア２Ｈを通らなければならない。ドア２Ｆの通行を許可された人は予め設定される。ドア２Ｇの通行を許可された人は予め設定される。ドア２Ｈの通行を許可された人は予め設定される。
【００５７】
受信器４は、識別タグ５から電波を受信する。図５に示す例では、１つのドア２に対応して１つの受信器４が設けられる。例えば、ドア２Ｆに隣接して受信器４Ｆが設けられる。識別タグ５がドア２Ｆに近づくと、受信器４Ｆは識別タグ５から電波を受ける。同様に、ドア２Ｇに隣接して受信器４Ｇが設けられる。ドア２Ｈに隣接して受信器４Ｈが設けられる。受信器４は、例えば通信線によって管理装置３に接続される。
【００５８】
識別タグ５は、例えば、ドア２の通行を許可された人に所持される。識別タグ５に、識別情報が記憶される。受信器４は、受信範囲に存在する識別タグ５から、識別情報を含む電波を受信する。本実施の形態に示す例では、釦８は使用されない。このため、識別タグ５は、釦８を備えても備えていなくても良い。
【００５９】
報知器６は、情報を報知する。図５に示す例では、１つのドア２に対応して１つの報知器６が設けられる。例えば、ドア２Ｆに隣接して報知器６Ｆが設けられる。ドア２Ｆに近づいた人に対して報知器６Ｆから情報が報知される。同様に、ドア２Ｇに隣接して報知器６Ｇが設けられる。ドア２Ｈに隣接して報知器６Ｈが設けられる。報知器６は受信器４に備えられても良い。
【００６０】
管理装置３は、例えば記憶部９、第１判定部１１、第２判定部１７、第３判定部１８、解錠部１５及び動作部１６を備える。
【００６１】
記憶部９に、ドア２の通行を許可された人の情報が記憶される。例えば、記憶部９に、識別タグ５に割り当てられた識別情報が記憶される。記憶部９に、各識別情報に紐付けて、通行が許可されたドアの情報が記憶される。更に、本実施の形態に示す例では、記憶部９に、各識別情報に紐付けて、動作不実施の対象となるドアの情報が記憶される。下記表２は、記憶部９に記憶された情報の例を示す。
【００６２】
【表２】
2018037644.tif 000004
【００６３】
表２に示す例では、識別情報１００１の所持者は、ドア２Ｆの通行が許可されている。また、この人に関しては、ドア２Ｇ及びドア２Ｈが動作不実施の対象である。動作不実施とは、不許可動作及び許可動作が行われないことを意味する。動作不実施に対して時期的条件等が設定されても良い。各識別情報について、通行が許可されたドアとして記憶部９に記憶されたドアは、動作不実施の対象となるドアとして記憶部９に記憶されない。動作不実施の対象となるドアとして記憶部９に記憶されたドアは、通行が許可されたドアとして記憶部９に記憶されない。
【００６４】
第１判定部１１は、受信器４によって受信された識別情報が記憶部９に記憶されている識別情報の何れかと一致するか否かを判定する。第１判定部１１は、例えば、受信器４が受信した情報と記憶部９に記憶されている情報とに基づいて上記判定を行う。
【００６５】
第２判定部１７は、受信器４が受信した識別情報について、その受信器４に対応するドア２が通行が許可されたドアとして記憶部９に記憶されているか否かを判定する。第２判定部１７は、識別情報が一致すると第１判定部１１によって判定された場合に、その識別情報について上記判定を行う。本実施の形態に示す例では、１つの受信器４に対応するドアは１つである。即ち、受信器４Ｆに対応するドアはドア２Ｆである。受信器４Ｇに対応するドアはドア２Ｇである。受信器４Ｈに対応するドアはドア２Ｈである。通行管理システム１が備えられる建物によっては、１つのドア２に複数の受信器４が対応しても良い。１つの受信器４に複数のドア２が対応しても良い。第２判定部１７は、例えば、受信器４が受信した情報と記憶部９に記憶されている情報とに基づいて上記判定を行う。
【００６６】
第３判定部１８は、受信器４が受信した識別情報について、その受信器４に対応するドア２が動作不実施の対象となるドアとして記憶部９に記憶されているか否かを判定する。第３判定部１８は、識別情報が一致すると第１判定部１１によって判定された場合に、その識別情報について上記判定を行う。第３判定部１８は、例えば、受信器４が受信した情報と記憶部９に記憶されている情報とに基づいて上記判定を行う。
【００６７】
解錠部１５は、ドア２を解錠させる。即ち、解錠部１５は、電子錠７を制御する。例えば、解錠部１５は、ドア２Ｆに備えられた電子錠７Ｆ（図示せず）に解錠信号を送信し、ドア２Ｆを解錠させる。同様に、解錠部１５は、ドア２Ｇに備えられた電子錠７Ｇ（図示せず）に解錠信号を送信し、ドア２Ｇを解錠させる。解錠部１５は、ドア２Ｈに備えられた電子錠７Ｈ（図示せず）に解錠信号を送信し、ドア２Ｈを解錠させる。解錠部１５は、例えば、第２判定部１７が判定した結果に基づいて解錠信号を出力する。
【００６８】
動作部１６は許可動作を行う。また、動作部１６は不許可動作を行う。
【００６９】
次に、図６も参照し、通行管理システム１の動作について詳しく説明する。図６は、この発明の実施の形態２における通行管理システム１の動作例を示すフローチャートである。
【００７０】
受信器４の受信範囲に識別タグ５が入ると、受信器４は、その識別タグ５から識別情報を含む電波を受信する（Ｓ２０１）。受信器４は、受信した電波から識別情報を抽出する（Ｓ２０２）。受信器４は、抽出した識別情報を自機を示す情報と共に管理装置３に送信する。
【００７１】
管理装置３では、受信器４によって受信された識別情報が記憶部９に記憶されている識別情報の何れかと一致するか否かが第１判定部１１によって判定される（Ｓ２０３）。表２に示す情報が記憶部９に予め登録されている例を考える。例えば、受信器４Ｆによって識別情報１００１を含む電波が受信されると、第１判定部１１はＳ２０３で一致する旨を判定する。なお、識別情報１００１は記憶部９に記憶された識別情報である。このため、どの受信器４によって識別情報１００１が受信されても、第１判定部１１はＳ２０３で一致する旨を判定する。例えば、受信器４Ｈによって識別情報１００１が受信されると、第１判定部１１はＳ２０３で一致する旨を判定する。
【００７２】
一方、識別情報２００１は記憶部９に記憶されていない。受信器４Ｆによって識別情報２００１を含む電波が受信されると、第１判定部１１はＳ２０３で一致しない旨を判定する。第１判定部１１は、どの受信器４によって識別情報２００１が受信されてもＳ２０３で一致しない旨を判定する。
【００７３】
識別情報が一致しないと第１判定部１１によって判定されると、動作部１６は、不許可動作を行う（Ｓ２０４）。動作部１６は、不許可動作として、通行が許可されなかったことを報知器６から報知させても良い。例えば、受信器４Ｆによって識別情報２００１が受信された場合、動作部１６は、ドア２Ｆに隣接する報知器６Ｆから通行が許可されていないことを報知させる。報知器６Ｆが液晶ディスプレイであれば、ＮＧを表示させても良い。報知器６Ｆがスピーカであれば、部屋Ｆに入ることができない旨をアナウンスしても良い。動作部１６は、不許可動作として、通行が許可されなかったことを記憶部９に記憶させても良い。例えば、受信器４Ｆによって識別情報２００１が受信された場合、動作部１６は、未登録の識別情報２００１が受信器４Ｆに受信されたことを記憶部９に記憶させる。
【００７４】
第２判定部１７は、識別情報が一致すると第１判定部１１によって判定されると、Ｓ２０１で受信器４が受信した識別情報について、通行が許可されているか否かを判定する（Ｓ２０５）。例えば、受信器４Ｆが識別情報１００１を受信した場合、第２判定部１７は、識別情報１００１について、受信器４Ｆに対応するドア２Ｆが通行が許可されたドアとして記憶部９に記憶されているか否かを判定する。表２に示す例では、識別情報１００１について、通行が許可されたドアとしてドア２Ｆが記憶されている。解錠部１５は、記憶部９に記憶されているとＳ２０５で第２判定部１７によって判定されると、対応のドア２を解錠させる（Ｓ２０６）。例えば、通行が許可されたドアとしてドア２Ｆが記憶部９に記憶されていると第２判定部１７によって判定されると、解錠部１５は、電子錠７Ｆに解錠信号を出力する。これにより、ドア２Ｆが解錠される。
【００７５】
動作部１６は、記憶部９に記憶されているとＳ２０５で第２判定部１７によって判定されると、許可動作を行う（Ｓ２０７）。動作部１６は、許可動作として、通行が許可されたことを報知器６から報知させても良い。上記例であれば、動作部１６は、ドア２Ｆに隣接する報知器６Ｆから通行が許可されたことを報知させる。報知器６Ｆが液晶ディスプレイであれば、ＯＫを表示させても良い。報知器６Ｆがスピーカであれば、部屋Ｆに入ることができる旨をアナウンスしても良い。動作部１６は、許可動作として、通行が許可されたことを記憶部９に記憶させても良い。上記例であれば、動作部１６は、識別情報１００１の所持者が部屋Ｆへの入室を許可された旨を記憶部９に記憶させる。
【００７６】
一方、記憶部９に記憶されていないとＳ２０５で第２判定部１７によって判定されると、第３判定部１８は、Ｓ２０１で受信器４が受信した識別情報について、動作不実施の設定がなされているか否かを判定する（Ｓ２０８）。例えば、Ｓ２０１で受信器４Ｈが識別情報１００１を受信すると、記憶部９に記憶されていないとＳ２０５で第２判定部１７によって判定される。かかる場合、第３判定部１８は、識別情報１００１について、受信器４Ｈに対応するドア２Ｈが動作不実施の対象となるドアとして記憶部９に記憶されているか否かを判定する。表２に示す例では、識別情報１００１について、動作不実施の対象となるドアとしてドア２Ｈが記憶されている。記憶部９に記憶されているとＳ２０８で第３判定部１８によって判定されると、Ｓ２０１の処理に戻る。Ｓ２０８で記憶部９に記憶されていると第３判定部１８によって判定されると、動作部１６は不許可動作を行わない（Ｓ２０８のＹｅｓ）。
【００７７】
記憶部９に記憶されていないとＳ２０８で第３判定部１８によって判定されると、動作部１６は不許可動作を行う（Ｓ２０４）。
【００７８】
本実施の形態に示す例では、記憶部９に記憶されているとＳ２０８で第３判定部１８によって判定されると、不許可動作が行われない。このため、ドア２を通行しようとしていない人がドア２に近づくことによって発生する不要な動作を低減できる。
【００７９】
例えば、識別情報１００２の所持者について考える。識別情報１００２の所持者は、部屋Ｇの所属である。このため、部屋Ｇに入るためのドア２Ｇが通行が許可されたドアとして記憶部９に予め登録される。また、識別情報１００２の所持者は、矢印Ｒ１に示すように、図５の右側から部屋Ｇに出入りすることが要求されている。このため、識別情報１００２の所持者は、部屋Ｇに入る直前に部屋Ｈの前を通る。識別情報１００２の所持者は、部屋Ｇから出た直後に部屋Ｈの前を通る。識別情報１００２の所持者が部屋Ｈの前を通ることに特に問題はないため、ドア２Ｈが動作不実施の対象となるドアとして記憶部９に予め登録される。なお、識別情報１００２の所持者は、部屋Ｈに入ることは許可されていない。
【００８０】
例えば、識別情報１００２の所持者が部屋Ｇに入るために部屋Ｈの前を通過すると、受信器４Ｈによって識別情報１００２が受信される（Ｓ２０１）。識別情報１００２は記憶部９に記憶されている（Ｓ２０３のＹｅｓ）。また、識別情報１００２について、ドア２Ｈは通行が許可されたドアとして記憶部９に記憶されていない（Ｓ２０５のＮｏ）。識別情報１００２について、ドア２Ｈは動作不実施の対象となるドアとして記憶部９に記憶されている（Ｓ２０８のＹｅｓ）。このため、識別情報１００２の所持者がドア２Ｈの前を通るとドア２Ｈは解錠されないが、不許可動作は行われない。
【００８１】
その後、識別情報１００２の所持者がドア２Ｇに近づくと、受信器４Ｇによって識別情報１００２が受信される（Ｓ２０１）。識別情報１００２は記憶部９に記憶されている（Ｓ２０３のＹｅｓ）。また、識別情報１００２について、ドア２Ｇは通行が許可されたドアとして記憶部９に記憶されている（Ｓ２０５のＹｅｓ）。このため、識別情報１００２の所持者がドア２Ｇに近づくと、ドア２Ｇが解錠される。
【００８２】
一方、識別情報１００２の所持者は、図５において部屋Ｇより左側の領域に出入りすることが許可されていない。このため、ドア２Ｆは、通行が許可されたドアとして記憶部９に記憶されていない。ドア２Ｆは、動作不実施の対象となるドアとして記憶部９に記憶されていない。
【００８３】
例えば、識別情報１００２の所持者が部屋Ｇから出てドア２Ｆに近づくと、受信器４Ｆによって識別情報１００２が受信される（Ｓ２０１）。識別情報１００２は記憶部９に記憶されている（Ｓ２０３のＹｅｓ）。また、識別情報１００２について、ドア２Ｆは通行が許可されたドアとして記憶部９に記憶されていない（Ｓ２０５のＮｏ）。識別情報１００２について、ドア２Ｆは動作不実施の対象となるドアとして記憶部９に記憶されていない（Ｓ２０８のＮｏ）。このため、識別情報１００２の所持者がドア２Ｆに近づくと、ドア２Ｆは解錠されず、且つ不許可動作が行われる。例えば、識別情報１００２の所持者が図５の左側から部屋Ｇに入ろうとしても、ドア２Ｆの前で不許可動作が行われる。
【００８４】
他の例について考える。識別情報１００３の所持者は、部屋Ｈの所属である。このため、部屋Ｈに入るためのドア２Ｈが通行が許可されたドアとして記憶部９に予め登録される。また、識別情報１００３の所持者は、矢印Ｒ２に示すように、図５の右側から部屋Ｈに出入りすることが要求されている。識別情報１００３の所持者は、図５において部屋Ｈより左側の領域に出入りすることが許可されていない。このため、ドア２Ｆ及びドア２Ｇは、通行が許可されたドアとして記憶部９に記憶されていない。ドア２Ｆ及びドア２Ｇは、動作不実施の対象となるドアとして記憶部９に記憶されていない。
【００８５】
かかる場合、識別情報１００３の所持者がドア２Ｈに近づけば、ドア２Ｈは解錠される。一方、識別情報１００３の所持者がドア２Ｇに近づくと、ドア２Ｇは解錠されず、且つ不許可動作が行われる。同様に、識別情報１００３の所持者がドア２Ｆに近づくと、ドア２Ｆは解錠されず、且つ不許可動作が行われる。
【００８６】
図７は、この発明の実施の形態２における通行管理システム１の他の動作例を示す図である。図６は、第２判定部１７による判定が行われた後に第３判定部１８による判定が行われる例について説明した。図７は、第３判定部１８による判定が行われた後に第２判定部１７による判定が行われる例について説明する。図７のＳ３０１からＳ３０４に示す動作は、図６のＳ２０１からＳ２０４に示す動作と同じである。
【００８７】
第３判定部１８は、識別情報が一致するとＳ３０３で第１判定部１１によって判定されると、Ｓ３０１で受信器４が受信した識別情報について、動作不実施の設定がなされているか否かを判定する（Ｓ３０５）。例えば、Ｓ３０１で受信器４Ｈが識別情報１００１を受信した場合、第３判定部１８は、識別情報１００１について、受信器４Ｈに対応するドア２Ｈが動作不実施の対象となるドアとして記憶部９に記憶されているか否かを判定する。表２に示す例では、識別情報１００１について、動作不実施の対象となるドアとしてドア２Ｈが記憶されている。記憶部９に記憶されているとＳ３０５で第３判定部１８によって判定されると、Ｓ３０１の処理に戻る。Ｓ３０５で記憶部９に記憶されていると第３判定部１８によって判定されると、動作部１６は不許可動作を行わない（Ｓ３０５のＹｅｓ）。
【００８８】
一方、記憶部９に記憶されていないとＳ３０５で第３判定部１８によって判定されると、第２判定部１７は、Ｓ３０１で受信器４が受信した識別情報について、通行が許可されているか否かを判定する（Ｓ３０６）。例えば、Ｓ３０１で受信器４Ｆが識別情報１００１を受信した場合、記憶部９に記憶されていないとＳ３０５で第３判定部１８によって判定される。かかる場合、第２判定部１７は、識別情報１００１について、受信器４Ｆに対応するドア２Ｆが通行が許可されたドアとして記憶部９に記憶されているか否かを判定する。表２に示す例では、識別情報１００１について、通行が許可されたドアとしてドア２Ｆが記憶されている。解錠部１５は、記憶部９に記憶されているとＳ３０６で第２判定部１７によって判定されると、対応のドア２を解錠させる（Ｓ３０７）。動作部１６は、記憶部９に記憶されているとＳ３０６で第２判定部１７によって判定されると、許可動作を行う（Ｓ３０８）。図７のＳ３０７及びＳ３０８に示す動作は、図６のＳ２０６及びＳ２０７に示す動作と同じである。
【００８９】
記憶部９に記憶されていないとＳ３０６で第２判定部１７によって判定されると、動作部１６は不許可動作を行う（Ｓ３０４）。
【００９０】
図７に示す例でも、記憶部９に記憶されていると第３判定部１８によって判定されると、不許可動作は行われない。一方、記憶部９に記憶されていると第２判定部１７によって判定されると、対応のドア２が解錠される。記憶部９に記憶されていないと第２判定部１７と第３判定部１８との双方によって判定されると、不許可動作が行われる。図７に示す例でも、ドア２を通行しようとしていない人がドア２に近づくことによって発生する不要な動作を低減できる。
【００９１】
符号９、及び１１〜１８に示す各部は、管理装置３が有する機能を示す。図８は、管理装置３のハードウェア構成を示す図である。管理装置３は、ハードウェア資源として、例えばプロセッサ１９とメモリ２０とを含む処理回路を備える。記憶部９が有する機能はメモリ２０によって実現される。管理装置３は、メモリ２０に記憶されたプログラムをプロセッサ１９によって実行することにより、符号１１〜１８に示す各部の機能を実現する。
【００９２】
プロセッサ１９は、ＣＰＵ（Ｃｅｎｔｒａｌ  Ｐｒｏｃｅｓｓｉｎｇ  Ｕｎｉｔ）、中央処理装置、処理装置、演算装置、マイクロプロセッサ、マイクロコンピュータ或いはＤＳＰともいわれる。メモリ２０として、半導体メモリ、磁気ディスク、フレキシブルディスク、光ディスク、コンパクトディスク、ミニディスク或いはＤＶＤを採用しても良い。採用可能な半導体メモリには、ＲＡＭ、ＲＯＭ、フラッシュメモリ、ＥＰＲＯＭ及びＥＥＰＲＯＭ等が含まれる。
【００９３】
管理装置３が有する各機能の一部又は全部をハードウェアによって実現しても良い。管理装置３の機能を実現するハードウェアとして、単一回路、複合回路、プログラム化したプロセッサ、並列プログラム化したプロセッサ、ＡＳＩＣ、ＦＰＧＡ、又はこれらの組み合わせを採用しても良い。
【産業上の利用可能性】
【００９４】
この発明に係る通行管理システムは、識別タグを利用するシステムに適用できる。
【符号の説明】
【００９５】
１  通行管理システム
２  ドア
３  管理装置
４  受信器
５  識別タグ
６  報知器
７  電子錠
８  釦
９  記憶部
１１  第１判定部
１２  第２判定部
１３  第３判定部
１４  第４判定部
１５  解錠部
１６  動作部
１７  第２判定部
１８  第３判定部
１９  プロセッサ
２０  メモリ
【図１】
2018037644.tif 000005
【図２】
2018037644.tif 000006
【図３】
2018037644.tif 000007
【図４】
2018037644.tif 000008
【図５】
2018037644.tif 000009
【図６】
2018037644.tif 000010
【図７】
2018037644.tif 000011
【図８】
2018037644.tif 000012
【国際調査報告】
2018037644.tif 000013
2018037644.tif 000014
2018037644.tif 000015
2018037644.tif 000016